(57)【要約】様々なシステムおよび技術が、屋根の表面上の荷重の感知を改良させるために使用され得る。ある実施例では、耐衝撃性のある表面取付ルーフセンサーシステムは、センサーと、保護カバーと、荷重伝達機構とを含み得る。センサーは、そこにかかる荷重を感知するように適合化されてもよく、保護カバーはセンサーの幅にまで及ぶように構成され、高密度の媒体からの衝撃と直接かかる荷重に耐えるように適合化されてもよい。荷重伝達機構は、保護カバー上にかかる荷重をセンサーに機械的に伝達するように適合化されてもよい。【選択図】図１Ａ
2014533351.tif 000002
【特許請求の範囲】
【請求項１】
耐衝撃性のある表面取付ルーフセンサーシステムであって、
そこにかかる荷重を感知するように適合化され、幅を有するセンサーと、
少なくとも前記センサーの前記幅にまで及ぶように構成され、高密度の媒体からの衝撃と直接かかる荷重に耐えるように適合化された保護カバーと、
前記保護カバー上にかかる荷重を前記センサーに機械的に伝達するように適合化された荷重伝達機構と、
を備えるセンサーシステム。
【請求項２】
前記センサーは、圧電デバイスを備える、請求項１に記載のセンサーシステム。
【請求項３】
前記保護カバーは、シールドを備え、
前記荷重伝達機構は、弾性部材を備える、請求項１に記載のセンサーシステム。
【請求項４】
前記保護カバーは、柔軟性のある皮膜を備え、
前記荷重伝達機構は、非圧縮性流体を備える、請求項１に記載のセンサーシステム。
【請求項５】
前記保護カバーは、より大きな媒体を遮断し、より小さい媒体を通過させるための多数の開口部を備える、請求項１に記載のセンサーシステム。
【請求項６】
前記保護カバーは、周囲の媒体による架橋を防ぐように構成された、請求項５に記載のセンサーシステム。
【請求項７】
前記保護カバー上の前記荷重を決定するために前記センサーと同じ位置に配置されるコンピュータシステムをさらに備える、請求項１に記載のセンサーシステム。
【請求項８】
前記保護カバーは、周囲の媒体による架橋を防止するように構成された、請求項１に記載のセンサーシステム。
【請求項９】
前記保護カバーは、少なくとも９０ｋＮ／ｍｍ３の衝撃から保護するように適合化された、請求項１に記載のセンサーシステム。
【請求項１０】
高密度の物体は、あられやひょうを含む、請求項１に記載のセンサーシステム。
【請求項１１】
前記センサーシステムは、屋根の上表面に取り付けるように適合化された、請求項１に記載のセンサーシステム。
【発明の詳細な説明】
【技術分野】
【０００１】
本明細書は、メカニカルセンサーの分野に関し、特に耐衝撃性のあるルーフセンサーの分野に関する。
【背景技術】
【０００２】
静的構造（例えば、建物）は、荷重を受けることがあり、特にその屋根の上に風、雨、雪、氷、およびその他の環境要因が存在する場合に荷重を受ける。場合により、荷重が非常に大きいため、屋根の破滅的破壊が起き、人に対しては言うに及ばず、その中の資産に対しても相当な損傷を与えることになり得る。
【０００３】
屋根の状態を測定する様々なシステムが存在する。システムによっては、屋根の状態の測定基準として屋根からの漏れを測定する。他のシステムは、屋根上の荷重を測定する。荷重測定システムは、通常、建物の内部に取り付けられる。例えば、内部の建物の支持体に取り付けられる測定デバイスからなる内部システムもある。他の例としては、屋根の変形を測定するために光学技術を利用する内部システムもある（例えば、屋根の下で断続するレーザー光により）。
【発明の概要】
【０００４】
１つの概略的な実施例においては、耐衝撃性のある表面取付ルーフセンサーシステムは、センサー、保護カバー、および荷重伝達機構を含むことができる。センサーは、そのセンサーにかかる荷重を感知するように適合化されることが可能で、保護カバーは、少なくともそのセンサーの幅にまで及ぶように構成されることが可能で、そして直接加わる荷重と高密度の媒体からの衝撃に耐えるように適合化される。荷重伝達機構は、保護カバーに加わる荷重をセンサーに機械的に伝達するように適合化され得る。
【０００５】
様々な実施例は、１つ以上の特徴を有し得る。例えば、屋根に取り付けられたセンサーシステムは、あられやひょう等の衝撃から自身を保護するように適合化され得る。したがって、センサーシステムは、比較的耐久性がある。他の例としては、センサーシステムは、軽く固まった媒体による架橋を防止するように適合化され得る。したがって、センサーシステムは、より広い範囲の条件においてより正確に動作し得る。
【０００６】
他の特徴は、後続する発明の詳細および添付する図面に基づき、当業者にとって明らかである。
【図面の簡単な説明】
【０００７】
【図１】図１Ａおよび図１Ｂは、例示的な耐衝撃性のある表面取付屋根荷重センサーシステムの側面図である。
【図２】他の例示的な耐衝撃性のある表面取付屋根荷重センサーシステムの側面図である。
【図３】図３Ａ、図３Ｂは、それぞれ例示的な耐衝撃性のある表面取付屋根荷重センサーシステムの側面図、平面図である。
【図４】表面取付屋根荷重センサーシステムの例示的なコンピュータシステムのブロック図である。
【図５】ある媒体に対する衝撃力を示すグラフである。
【発明を実施するための形態】
【０００８】
表面取付屋根荷重センサーは、さまざまな環境要因から性能低下となることがある。例えば、表面取付屋根荷重センサーは、屋根上に蓄積された媒体（例えば、雪及び／または氷）によるセンサーの架橋に起因して効果がない状態になり得る。他の例としては、表面取付屋根荷重センサーは、高密度の媒体により損傷を受け得る。
【０００９】
互いに周りを囲む媒体微粒子（例えば、雪及び／または氷）の間の摩擦力により互いに他を支えすなわち支持し、媒体が完全には接触していない下部の領域を作り出す傾向があるときに、架橋がしばしば生じる。雪の場合、架橋は、湿度、空気の温度、および雪の結晶の種類ならびに大きさを含め、いくつかの変数の関数である。架橋は、屋根等の表面上の荷重の不均一な分布をもたらし得る。このような表面の上のセンサーは、かかる荷重の不正確な測定値を記録することになる可能性があり、このことは荷重の大きさを過小評価することにつながり得る。この問題は、特に砂または雪等の軽く固まった媒体の場合に多く見られる。架橋は、他の気象条件または屋根上の媒体（例えば、屋根の破片、木の一部等）によっても起こり得る。
【００１０】
媒体（例えば、あられやひょう）が降ることにより、表面取付ルーフセンサーを損傷する可能性がある。このことは、暴風雨の間などセンサーの機能が特に重要になり得る時にセンサーが利用できなくなることにつながる。
【００１１】
あられやひょうの衝撃の圧力は、（１）式によれば、衝撃の力（Ｆ）とあられやひょうの衝撃表面の面積（Ａ）の関数として特徴付けることができる。
【数１】
2014533351.tif 000003
【００１２】
あられやひょう暴風雨の経験による実験から、図５のデータが得られた。図５のデータの線形回帰により、（２）式に示されるあられやひょうを伴う嵐の運動エネルギーＴを計算する公式が得られる。
【数２】
2014533351.tif 000004
【００１３】
この式を（１）式に代入すると式（３）が得られる。
【数３】
2014533351.tif 000005
【００１４】
経験的な実験によれば、一般にあられやひょうは、速度の単位をｍ／ｓ、その直径（Ｄ）の単位をｍｍとした場合、測定された速度が（４）式を満たすときに最大速度に達することも示されている。
【数４】
2014533351.tif 000006
【００１５】
あられやひょうが球形であると仮定すると、あられやひょうの質量（ｍ）は、
（５）式に示されるように氷の密度に基づいて推定され得る。
【数５】
2014533351.tif 000007
【００１６】
あられやひょうの衝撃面積は、球状物が平面と交差する時に形成される円の面積の公式により見積もることができる。ここで交差する平面の球状物の中心からの直線距離をｂとする。これは、（６）式により示される。
【数６】
2014533351.tif 000008
【００１７】
前述の事項の全てを組み合わせると、Ｄおよびｂの両方の単位をｍｍとし、圧力はｋＮ／ｍｍ２を単位として評価する際の衝撃の圧力を計算する式を得る。これが（７）式である。
【数７】
2014533351.tif 000009
【００１８】
図１Ａおよび図１Ｂは、耐衝撃性のあるルーフセンサーシステム１００を例示している。システム１００は、センサー１１０と、保護カバー１３０と、荷重伝達機構１４０とを含む。センサー１１０は、圧電センサー、ピエゾ抵抗式センサー、歪みゲージを有する構造部材、または荷重を感知するための任意の他の適切なデバイスであり得る。図示した例においては、センサー１１０は、屋根１２０の表面に取り付けられ、屋根１２０の表面の一部のみが示されている。システム１００は、排水口、竪樋、または任意の他の適当な屋根に関連する領域の中に取り付けてもよい。
【００１９】
保護カバー１３０は、荷重を分散し、あられやひょう等の衝撃からセンサー１１０を保護するために提供される。保護カバー１３０は、シールド、板材、火格子、またはセンサー１１０を衝撃から保護することが可能となる任意の他の構造であり得る。保護カバー１３０は、金属、プラスチック、セラミック、または任意の他の適当な材料からなり得る。特定の実施例では、保護カバー１３０は、紫外線（ＵＶ）による劣化に対して耐性を有し得る。
【００２０】
保護カバー１３０の大きさは、大小さまざまであってよいが、通常少なくともセンサー１１０と同程度の幅を有する。センサー１１０は、特定の実施例においては、大体２．５ｃｍ×２．５ｃｍの大きさであり得るところ、保護カバー１３０は、大体１５ｃｍ×５ｃｍの大きさであってよい。システム１００は、様々な高さをもち得るが、その水平方向の寸法と比較して通常薄い。さらに、センサーシステムの適当な高さを決定する際に、屋根の排水路を考慮にいれてもよい。ある実施例では、システム１００は、高さが大体２ｃｍである。
【００２１】
荷重伝達機構１４０は、保護カバー１３０上の荷重をセンサー１１０に伝達するように適合化される。この実施例では、荷重伝達機構１４４は、接触部１４２と多数の弾性部材１４４を含む。接触部１４２は、保護カバー１３０の底に取り付けられ、センサー１１０が荷重による動きを感知して荷重を示す信号を発生し得るように、センサー１１０と係わるに至るように設計される。したがって、接触部１４２は、保護カバー１３０上にかかる荷重をセンサー１１０へ伝える。
【００２２】
示された実施例では、接触部１４２は、保護カバー１３０の様々な部分の動きがセンサー１１０に伝わり得るように構成される。例えば、もし、保護カバー１３０の右側へ荷重がかかっていないとしても、保護カバー１３０の左側への荷重がセンサー１１０にかかる荷重となり得る。接触部１４２は、金属、プラスチックまたは任意の他の適当な非腐食性材料からなり得る。
【００２３】
弾性部材１４４は、カバー１３０および基台１６０に連結し、基台１６０はセンサー１１０の一部、又はシステム１００のハウジングであり得る。弾性部材１４４は、保護カバー１３０に荷重がかからないときに保護カバー１３０とセンサー１１０との間の空間関係を元に戻す機能がある。図示したように、弾性部材１４４は、コイルばねである。他の実施例においては、弾性部材１４４は、任意の他の弾性部材であってもよい。
【００２４】
ある実施例においては、システム１００は、屋根１２０の表面にとりつけてもよい。他の実施例においては、システム１００は、屋根の凹部に配置されてもよく、このようにすると排水の助けになり得る。例えば、保護カバー１１０は、屋根と平行に配置してもよい。
【００２５】
図１Ｂは、荷重がかかる場合のシステム１００を示す。図示されるように、保護カバー１３０は、接触部１４２がセンサー１１０に係るようにセンサー１１０に向かって移動している。保護カバー１３０の動きにより、弾性部材１４４が圧縮されている。したがって、荷重が除去されると、保護カバー１３０は、図１Ａの位置に戻り得る。
【００２６】
システム１００は、様々な特徴を有する。例えば、システム１００により、屋根部分にかかる荷重を直接的にかつ繰り返して感知することが可能となり、この結果は荷重がどのようにかかるかを知り記憶するのに利用され得る。これは、屋根の故障を警告及び／または防止するために利用され得る。一方、現存する屋根荷重システムは、過度に反応する傾向がある。すなわち、屋根は、どんな通知が提供される前にもすでに厳しい損傷状態となっている。また、システム１００は、保護カバー１３０の存在に起因して、損傷から保護され得る。特定の実施例において、例えば、センサー１０は、９０ｋＮ／ｍｍ３よりも大きな衝撃から保護され得る。さらに、より大きなタイプの保護カバー１３０（例えば、１０ｃｍ−１５ｃｍ、またはそれ以上の）を使用することにより、より小さなタイプのもの（例えば、２ｃｍ）を使用する場合より架橋を小さくすることに役立ち得る。システム１００は、比較的平らな屋根に対して特に有用であり得るが、傾斜した屋根に対しても有用である。システム１００は、現存する屋根にも新しく設置する場合にも利用できる。
【００２７】
他の実施例では、より少ない部品及び／または追加の部品を有することもできる。例えば、システム１００は、センサー１１０を囲むハウジングと、荷重伝達機構１４０と、弾性部材１４４とを有することができる。支持体１６０は、例えば、このようなハウジングの基台を形成することができる。特定の実施例では、ハウジングは密閉することができる。金属製の部品がある場合は、このことは重要であり得る。
【００２８】
ある実施例においては、システム１００は、処理及び／または通信機能を含むことができる。例えば、システム１００は、センサー１１０からの出力に基づいて荷重を決定する機能を有するプロセサーを含むことができる。さらに、プロセサーは、荷重が所定の閾値を超えているかどうかを判断する能力を有してもよい。もし、荷重が所定の閾値を超えていれば、プロセサーは、（例えば、有線または無線により）荷重を任意の他の情報（例えば、タイムスタンプ）とともに遠隔のコンピュータ（例えば、サーバー、制御部、または収集点）に伝達し得る。
【００２９】
図２は、耐衝撃性のあるルーフセンサーシステム２００の第２の例を示す。システム２００は、センサー２１０と、保護カバー２３０と、荷重伝達機構２４０と、ハウジング２５０とを含む。センサー２１０は、圧電センサー、ピエゾ抵抗式センサー、歪みゲージを有する構造部材、または任意の他の適当な荷重を感知するデバイスであってもよい。示された例においては、センサー２１０は、屋根２２０内のくぼみに設けられ、その部分のみが示されている。システム２００は、排水口、竪樋、または任意の他の適当な屋根に関連する領域に設けられてもよい。
【００３０】
保護カバー２３０は、ハウジング２５０のためのカバーを提供し、荷重伝達機構２４０における密閉性を助ける。保護カバー２３０は、例えば、熱可塑性ポリオレフィン（ＴＰＯ）、エチレンプロピレンジエンモノマーゴム（ＥＰＤＭ）、ポリ塩化ビニル（ＰＶＣ）、改質ビチューメン、または任意の他の適当な材料からなる柔軟性のある皮膜であってもよい。ある実施例では、保護カバー２３０は、屋根皮膜であってもよい。特定の実施例では、保護カバー２３０は、耐紫外線劣化性を備えていてもよい。
【００３１】
保護カバー２３０は、大小さまざまの大きさであってよいが、通常センサー２１０より幅が広い。特定の実施例においては、センサー１１０は、２．５ｃｍ×２．５ｃｍの大きさであり得るのに対し、保護カバー２３０は、大体１５ｃｍ×１５ｃｍの大きさであり得る。システム２００は、様々な高さをもち得るが、通常その幅と比べると薄い。ある実施例では、システム２００は、高さが大体２ｃｍである。
【００３２】
荷重伝達機構２４０は、保護カバー２３０にかかる荷重をセンサー２１０に伝える。この実施例においては、荷重伝達機構２４０は、非圧縮性流体であり、これは水、不凍剤、オイル、または任意の他の適当な液体であってもよい。非圧縮性流体は、システム２００が動作する（例えば、暑いか寒い）環境に基づいて変化し得る。非圧縮性流体は、保護カバー２３０にかかる荷重を分散してセンサー２１０に伝え、直接の衝撃からセンサー２１０を保護する。
【００３３】
ハウジング２５０は、少なくとも部分的に荷重伝達機構２４０を囲み、それの容器として機能する。ハウジング２５０は、金属、プラスチック、または任意の他の適当な非腐食性材料から成り得る。特定の実施例においては、ハウジング２５０は、密封され得る。
【００３４】
システム２００は、様々な特徴を有する。例えば、システム２００により、屋根部分の荷重を直接的に感知することが可能となる。これは、屋根故障を警告し及び／または防止するのに使用できる。したがって、システム２００は、屋根を積極的に管理することが可能となる。さらに、システム２００は、保護カバー２３０および荷重伝達機構２４０の存在のおかげで損傷から保護され得る。特定の実施例において、例えば、センサー２１０は、９０ｋＮ／ｍｍ３を超える衝撃から保護され得る。さらに、保護カバー２３０（例えば、１０ｃｍ−１５ｃｍ、またはそれ以上）の大きいタイプのものを使用することで、より小さいタイプのもの（例えば、２ｃｍ）と比較して、架橋を小さくすることができる。システム２００は、比較的平らな屋根に対し特に有用であり得るが、傾斜した屋根に対しても有用であり得る。システム２００は、現存する屋根にもまたは新しく設置する屋根にも利用できる。
【００３５】
図示したように、システム２００は、屋根ラインと平行に保護カバー２３０を有する屋根２２０の中のくぼみに位置する。他の実施例では、システム２００は、屋根２２０上に取り付けられ得る。
【００３６】
ある実施例では、システム２００は、処理機能及び／または通信機能を含み得る。例えば、システム２００は、センサー２１０からの出力に基づいて荷重を決定する機能を有するプロセサーを含み得る。さらに、プロセサーは、荷重が所定の閾値を超えるかどうかを判定する能力を有し得る。もし、荷重が所定の閾値を超えれば、プロセサーは、（例えば、有線または無線により）荷重を任意の他の情報（例えば、タイムスタンプ）とともに遠隔のコンピュータ（例えば、サーバー、制御部、または収集点）に伝えることができる。
【００３７】
図３Ａ、図３Ｂは、他の耐衝撃性のあるルーフセンサーシステム３００を示している。システム３００は、屋根３２０に取り付けられたセンサー３１０を含む。図示するように、センサー３１０は、保護カバー３３０に囲まれ、保護カバー３３０は屋根３２０、又はセンサー３１０に取り付けられ得る。システム３００は、排水口、竪樋、または任意の他の適当な屋根に関連する領域にも取り付けられ得る。
【００３８】
センサー３１０は、圧電センサー、ピエゾ抵抗式センサー、歪みゲージを有する構造部材、または任意の他の適当な荷重を感知するデバイスであり得る。ある実施例では、センサー３１０は、その表面にかかる荷重を実際の感知機構へ伝える荷重伝達機構を有し得る。
【００３９】
保護カバー３３０は、多数の開口部３３２を含む。保護カバー３３０は、例えば、針金、プラスチック、または任意の他の適当な材料からなる。
【００４０】
保護カバー３３０は、センサー３１０を保護するように適合化される。例えば、保護カバー３３０は、大きなあられやひょうまたは他の物体がセンサー３１０を直撃することを防ぐように設計され得る。ある実施例では、保護カバー３１０の幅は、センサー３１０と同じ位小さくてもよい。他の実施例では、保護カバー３１０の幅は、感知れんが、屋根板、または他のもの全体と同じ程度の大きさでもよい。ある実施例では、保護カバー３１０の高さは約２ｃｍインチであってもよい。
【００４１】
保護カバー３３０は、架橋が格子体（cage)の上に生じにくい程度に大きくすることにより架橋を防止するのに役立ち得る。例えば、格子体は、幅が大体１０−１５ｃｍであり得る。
【００４２】
保護カバー３３０の開口部３３２は、媒体（例えば、雪及び／または氷）が格子体内に入れる程度の適当なサイズにされ得る。したがって、このように媒体により生じた荷重は感知され得る。特定の実施例では、開口部３３２は、一辺の幅が大体１−３ｃｍであるが、ある地域の気候における気象状態に依存する必要性に応じて増減してよい。
【００４３】
特定の実施例では、保護カバー３３０は、雪及び／または氷が融けるのに十分な温度まで加熱され得る（例えば、電気的に、放射により、循環により、または別の方法で）。例えば、氷／雪の融点（例えば、約３９度Ｆ）を超す任意の温度であればよい。ある実施例において、格子体３３０は、６０度Ｆの範囲内の温度まで加熱し得る。他の実施例では、他の温度を使用し得る。保護カバー３３０を加熱することにより、蓄積された雪または氷をゆっくり溶かすことができる。したがって、雪及び／または氷は、センサー３１０まで降りてきて荷重が測定できる。
【００４４】
システム３００は、さまざまな特徴を有する。例えば、システム３００は、屋根部分の荷重を直接的に感知することを可能にし得る。これは屋根故障を警告及び／または防止するのに使用することを可能にし得る。したがって、システム３００は、屋根を積極的に管理することが可能となる。さらに、センサー３１０は、保護カバー３３０の存在のおかげで損傷から保護され得る。特定の実施例において、例えば、センサー３１０は、９０ｋＮ／ｍｍ３を超える衝撃から保護され得る。さらに、保護カバー３３０は、架橋を防止することができ、これにより、より正確な測定が可能となり得る。システム３００は、比較的平らな屋根に対し特に有用であり得るが、傾斜した屋根に対しても有用であり得る。システム３００は、現存する屋根にも新しく設置する屋根にも利用できる。
【００４５】
ある実施例では、システム３００は、処理機能及び／または通信機能を含み得る。例えば、システム３００は、センサー３１０からの出力に基づいて荷重を決定する機能を有するプロセサーを含み得る。さらに、プロセサーは、荷重が所定の閾値を超えるかどうかを判定する能力を有し得る。もし、荷重が所定の閾値を超えれば、プロセサーは、（例えば、有線または無線により）荷重を任意の他の情報（例えば、タイムスタンプ）とともに遠隔のコンピュータ（例えば、サーバー、制御部、または収集点）に伝えることができる。
【００４６】
図４は、屋根荷重を判断するためのコンピュータシステム４００の選択された構成要素の例を示す。コンピュータシステム４００は、例えば、屋根に設けられた荷重センサーと同一場所に配置され得る。システム４００は、プロセサー４１０と、入力／出力システム４２０と、メモリ４３０とを含み、これらは互いにネットワーク４４０により結合されている。
【００４７】
プロセサー４１０は、通常、プログラム命令（例えば、ソフトウェアまたはファームウェアから）の管理下でデータを処理する論理処理ユニット（例えば、算術論理演算ユニット）を含む。例えば、プロセサー４１０は、マイクロプロセサー、マイクロコントローラ、または特定用途向け集積回路であり得る。プロセサーは、縮小命令セット・コンピュータ（ＲＩＳＣ）または複数命令セットコンピュータ（ＣＩＳＣ）の原理により動作し得る。一般に、プロセサーは、論理的な方法でデータを操作する任意のデバイスであり得る。
【００４８】
入力／出力システム４２０は、１つ以上の通信インタフェース及び／または１つ以上の他のユーザインタフェースを含み得る。通信インタフェースは、例えば、ネットワークインタフェースカード（有線であろうと無線であろうと）、モデム、及び／またはバス・インタフェース（例えばシリアルまたはパラレル）であってもよい。無線通信技術は、ＷｉＦｉ、ブルートゥース（Bluetooth）、GSM、TDMA、FDMA、およびCDMAを含む。ユーザインタフェースは、例えば、ユーザ入力デバイス（例えば、キーボード、キーパッド、タッチパッド、タッチペン、マウスまたはマイクロフォン）またはユーザ出力デバイス（例えば、モニター、ディスプレイ、またはスピーカー）を含み得る。一般に、入力−出力システム４２０は、コンピュータシステムがデータの入力および出力を行うことができるデバイスの任意の組み合わせであってよい。
【００４９】
メモリ４３０としては、例えば、ランダムアクセスメモリ（RAM）、リードオンリーメモリ（ROM）、フラッシュメモリ、及び／またはディスクメモリが含まれ得る。さらに、メモリにはハードウェア（例えば、プロセサー４１０）内で符号化され得るものもある。様々な項目が、様々なタイミングでメモリの異なる部分に記憶され得る。メモリ４３０は、一般に、データを記憶するデバイスの任意の組み合わせであり得る。
【００５０】
メモリ４３０は、命令４３２とデータ４３６とを含む。命令４３２は、オペレーティングシステム４３３（例えば、Windows、Linux、またはUnix）および荷重決定手段４３５を含むアプリケーション４３４を含む。データ４３６は、屋根取付荷重センサーからのデータ４３７を含む。
【００５１】
ネットワーク４４０は、プロセサー４１０と、入力／出力システム４２０と、メモリ４３０との間でデータを通信する役割がある。ネットワーク４４０は、例えば、多数の異なる種類のバス（例えば、シリアル、パラレル、サンダーボルト（thunderbolt）、およびライトニングコネクタ（lightning connector））を含み得る。
【００５２】
ある動作モードでは、コンピュータシステム４００は、屋根取付荷重センサーからＩ／Ｏシステム４２０経由で荷重データ４３７を受け取り得る。データは、アナログフォーマットまたはデジタルフォーマットで到着し得る。プロセサー４１０は、次にデータを解析して関連付けられるルーフセンサーの荷重を決定することができる。プロセサー４１０は、次に決定された荷重をＩ／Ｏシステム４２０を用いて遠隔のデバイスに送信し得る。遠隔のデバイスは、その荷重が限界の範囲内かどうかを判定し、不一致が見つかった場合には通知を作り出す役割を有し得る。
【００５３】
システム４００は、様々な技術により管理され得る。例えば、直接的に（例えば、ユーザインタフェースを通して）または遠隔的に（例えば、スマートフォンアプリケーションまたはウェブインタフェースを通して）管理され得る。
【００５４】
ここで使用される用語は、特定の実施例のみを説明する目的で使用しており、限定することを意図していない。特に文脈により反対の指示がない限り、ここで使用されるように、単数形の「a」、「an」、および「the」は、複数形をも含めることが意図されている。さらに用語「備える（comprises）（comprising）」は、本明細書において使用された場合、記述された特徴、整数、動作、要素、及び／または部品の存在を特定するが、１つ以上の他の特徴、整数、動作、要素、及び／または部品、及び／またはそれらの１つ以上のグループの存在を排除するものではない。
【００５５】
以下の請求項における対応する構造、材料、挙動、および全ての手段またはステップの機能的な要素の均等物は、明確にクレームされた他のクレームの要素と組み合わせてその機能を実行するためのすべての構造、材料、または動作を含むことが意図されている。本実施例の説明は、例示と説明のために提示されているが、開示された形での実施例に限定または網羅することを意図するものではない。実施例は、開示の原理および実際の応用を説明し、予期される特定の用途に適するような様々な修正を伴う様々な実施例の開示を他の当業者が理解できるようにするために選択し説明したものである。
【００５６】
様々な屋根荷重測定システムが、説明され、また、他のいくつかの事項を説明または提示してきた。さらに、当業者は、屋根荷重測定を実現する間に、様々な追加、削除、置き換え、及び／または修正を行うことができることを容易に認識するであろう。したがって、保護されるべき発明の主題は、次に述べる特許請求の範囲に基づいて判断すべきであり、これらの特許請求の範囲は１つ以上の実施例の１つ以上の態様を包含することができる。
【００５７】
（関連出願）
本出願は、「耐衝撃性のある表面取付センサー」と題して２０１１年９月１９日に出願された米国仮特許出願第６１／５３６，４２５号に基づく優先権による利益を主張し、その内容は参照により本出願に組み込まれる。
【図１】
2014533351.tif 000010
【図２】
2014533351.tif 000011
【図３】
2014533351.tif 000012
【図４】
2014533351.tif 000013
【図５】
2014533351.tif 000014
【国際調査報告】
2014533351.tif 000015
2014533351.tif 000016